(57)【要約】【課題】集魚に必要な照射角度で効率的に光を出射し、かつ放熱効果も向上させるため、エネルギー及び光を効率的に利用でき、白色光を使用するため、青色光だけを使用する集魚灯に比して漁船で作業する作業者が作業対象物体を判別しやすく、目に優しい照明環境を実現して操業効率も向上させる集魚システムを提供する。【解決手段】集魚のために複数の集魚灯が船舶の支持装置にアレイ設置された集魚システムは、船舶の支持装置に装着され、相関色温度９，０００°Ｋ〜１５，０００°Ｋの光を出射する発光モジュールが装着された第１集魚灯と、船舶の支持装置に装着され、相関色温度５，０００°Ｋ〜８，０００°Ｋの光を出射する発光モジュールが装着された第２集魚灯と、を備えたことを特徴とする。【選択図】図１
2011530282.tif 000002
【特許請求の範囲】
【請求項１】
集魚のために複数の集魚灯が船舶の支持装置にアレイ設置された集魚システムであって、
前記船舶の支持装置に装着され、相関色温度９，０００°Ｋ〜１５，０００°Ｋの光を出射する発光モジュールが装着された第１集魚灯と、
前記船舶の支持装置に装着され、相関色温度５，０００°Ｋ〜８，０００°Ｋの光を出射する発光モジュールが装着された第２集魚灯と、を備えたことを特徴とする集魚システム。
【請求項２】
前記第１及び第２集魚灯は、光出射角度が６０〜７０°であることを特徴とする請求項１に記載の集魚システム。
【請求項３】
前記第１集魚灯は、水面に向かって光を照射するように前記支持装置に設けられ、水面に並んだ基準線に対して光軸との間の角が３５〜４５°になるように設置され、
前記第２集魚灯は、水面に向かって光を照射するように前記支持装置に設けられ、水面に並んだ基準線に対して光軸との間の角が１０〜２０°になるように設置されることを特徴とする請求項２に記載の集魚システム。
【請求項４】
前記支持装置は、
前記船舶に互いに離れて設置された支持台と、
前記支持台の間を連結する第１支持線と、
前記第１支持線よりも高い位置上で前記支持台の間を連結する第２支持線と、
前記第１及び第２支持線を横切って連結するサポートバーと、
を備え、
前記第１集魚灯は前記サポートバーの間に装着されており、
前記第２集魚灯は前記第１集魚灯よりも高い位置で前記サポートバーの間に装着されることを特徴とする請求項３に記載の集魚システム。
【請求項５】
前記第１及び第２集魚灯は、それぞれ上部を開放し、下方に行くほど幅が狭くなるように形成された収容溝を有する本体と、
前記本体の前記収容溝の底面に装着され、前記収容溝の開口に向かって光を出射するように複数の発光ダイオードが設けられた発光モジュールと、
前記本体の収容溝の開口を閉鎖するように前記本体に結合されるキャップと、
を備えたことを特徴とする請求項４に記載の集魚システム。
【請求項６】
前記本体には、前記本体の長手方向を横切る方向に沿って前記本体の一側面から底面及び他の側面まで延長するように前記本体から突出した放熱片が前記本体の長手方向に沿って互いに離れて複数形成されており、
前記本体の上面には、周縁に沿って外側に拡張形成されたリブが形成されており、前記リブには、前記放熱片の間の領域に該当する位置で対流を促進するように上下に貫通する通気孔が長手方向に沿って互いに離れて形成されることを特徴とする請求項５に記載の集魚システム。
【請求項７】
前記本体は、冷却水が流通される冷却水流通管をさらに備え、
前記冷却水流通管を相互連結する連結管と、
前記連結管を介して流出される冷却水を圧縮する圧縮器と、
前記圧縮器により圧縮された冷却水を凝縮し、前記冷却水流通管を介して供給する凝縮ユニットと、をさらに備えたことを特徴とする請求項５または６に記載の集魚システム。
【請求項８】
前記発光ダイオードの駆動を制御する制御部をさらに備え、
前記制御部は、駆動オンモードの時、前記発光ダイオードがオン・オフを繰り返して点滅されるように駆動し、それぞれの点灯維持時間と消灯維持時間は０．１〜０．３秒であることを特徴とする請求項１に記載の集魚システム。
【発明の詳細な説明】
【技術分野】
【０００１】
本発明は、集魚システムに関するものであって、詳細には発光ダイオードを用いた集魚システムに関する。
【背景技術】
【０００２】
通常、イカや太刀魚を効果的に漁獲するために対象魚種を誘集する集魚灯が広く用いられている。
現在、イカ釣り漁業における漁船の集魚灯を点灯させる発電機にかかる費用は、操業にかかる全体費用の６０％以上を占めており、集魚灯の交換経費などを含めば全体操業経費の４０％以上を占めるほど、大きい負担になっている。近年、原油高により、漁業経営に多大な支障をきたした。
イカの集魚灯としてはメタルハライドランプを大部分使っている。
しかしながら、メタルハライドランプは、通常、消費電力がｌＫＷ〜３ＫＷ程度の非常に大きい電力が必要であるため電力消耗が高く、発光時のガラス表面の温度が非常に高くて火災または火傷などの虞があり、寿命が約３，０００時間程度で短いという短所がある。また、メタルハライドランプは、約４〜５ヶ月使用すると、集魚性能が低減して交換しなければならず、重さが重くて体積が大きい安定器が必要であるため、照明に必要な付加設備が増加し、このような付加設備の空間占有により、魚を保存する魚倉の容積が減少するという短所もある。
さらに、メタルハライドランプの光はガラス球を通して全方向に放射されるため、集魚に必要な照射範囲以外にも空と甲板も照らし、全光量の６０〜７０％以上が不要に消耗される。また、赤外線領域から一部の紫外線領域の光までメタルハライドランプから出射されるため、集魚対象魚類、例えばイカの集魚に効率的な波長帯域の光以外の光も出射されることになり、全般的な集魚のための光の利用が非効率的であった。
一方、青色波長の光は、イカの集魚に効果的であり、海水への浸透深さが他の波長に比べて長いため、青色波長の光を出射する集魚灯を設けているが、白色光の照明に比して作業者の疲労度を増加させ、操業効率を低下させる短所がある。
【発明の概要】
【発明が解決しようとする課題】
【０００３】
本発明は、上記のような問題点を改善するために考案されたもので、発光ダイオードを用いて集魚対象魚類の集魚に効率的な波長の光を提供し、光出射角度を制限することにより、光の利用及び集魚の効率性だけでなく、作業者の作業効率も向上できる集魚システムを提供することにその目的がある。
本発明のまた他の目的は、発光ダイオードを用いた集魚灯機構の放熱効率を向上できる集魚システムを提供することにある。
【課題を解決するための手段】
【０００４】
本発明による集魚システムは、集魚のために複数の集魚灯が船舶の支持装置にアレイ設置された集魚システムであって、前記船舶の支持装置に装着され、相関色温度が９，０００°Ｋ〜１５，０００°Ｋの光を出射する発光モジュールが装着された第１集魚灯と、前記船舶の支持装置に装着され、相関色温度が５，０００°Ｋ〜８，０００°Ｋの光を出射する発光モジュールが装着された第２集魚灯と、を備える。
好ましくは前記第１及び第２集魚灯は、光出射角度が６０〜７０°である。
また、前記第１集魚灯は、水面に向かって光を照射するように前記支持装置に設けられ、水面に並んだ基準線に対して光軸との間の角が３５〜４５°になるように設置され、前記第２集魚灯は、水面に向かって光を照射するように前記支持装置に設けられ、水面に並んだ基準線に対して光軸との間の角が１０〜２０°になるように設置されることが好ましい。
前記支持装置は、前記船舶に互いに離れて設置された支持台と、前記支持台の間を連結する第１支持線と、前記第１支持線よりも高い位置上で前記支持台の間を連結する第２支持線と、前記第１及び第２支持線を横切って連結するサポートバーと、を備え、前記第１集魚灯は前記サポートバーの間に装着されており、前記第２集魚灯は前記第１集魚灯よりも高い位置で前記サポートバーの間に装着される。
本発明の一実施形態によれば、前記第１及び第２集魚灯は、それぞれ上部を開放し、下方に行くほど幅が狭くなるように形成された収容溝を有する本体と、前記本体の前記収容溝の底面に装着され、前記収容溝の開口に向かって光を出射するように複数の発光ダイオードが設けられた発光モジュールと、前記本体の収容溝の開口を閉鎖するように前記本体に結合されるキャップと、を備える。
また、前記本体には、前記本体の長手方向を横切る方向に沿って前記本体の一側面から底面及び他の側面まで延長するように前記本体から突出した放熱片が前記本体の長手方向に沿って互いに離れて複数形成されており、前記本体の上面には、周縁に沿って外側に拡張形成されたリブが形成されており、前記リブには、前記放熱片の間の領域に該当する位置で対流を促進するように上下に貫通する通気孔が長手方向に沿って互いに離れて形成される。
本発明の他の実施形態によれば、前記本体は、冷却水が流通される冷却水流通管をさらに備え、前記冷却水流通管を相互連結する連結管と、前記連結管を介して流出される冷却水を圧縮する圧縮器と、前記圧縮器により圧縮された冷却水を凝縮し、前記冷却水流通管を介して供給する凝縮ユニットと、をさらに備える。
好ましくは、前記発光ダイオードの駆動を制御する制御部をさらに備え、前記制御部は、駆動オンモードの時、前記発光ダイオードがオン・オフを繰り返して点滅されるように駆動し、それぞれの点灯維持時間と消灯維持時間は０．１〜０．３秒である。
【発明の効果】
【０００５】
本発明による集魚システムによれば、集魚に必要な照射角度で効率的に光を出射し、かつ集魚灯の放熱効率も向上させるため、エネルギー及び光を効率的に利用できる長所がある。また、白色光を使用するため、青色光だけを使用する集魚灯に比して漁船で作業する作業者が作業対象物体の色を判別しやすく、目に優しい照明環境を実現して操業効率も向上させる。
【図面の簡単な説明】
【０００６】
【図１】本発明の第１実施例による集魚灯が船舶に装着された集魚システムを示す正面図である。
【図２】図１の集魚灯を分離して示す斜視図である。
【図３】図２の集魚灯の側面図である。
【図４】本発明の第２実施例による集魚灯を分離して示す斜視図である。
【図５】図４の集魚灯の側面図である。
【図６】図１の集魚灯がサポートバーに支持された状態を示す斜視図である。
【図７】図１の集魚灯の一部を抜粋して示す拡大正面図である。
【図８】図７の集魚灯の側面図である。
【図９】図１の集魚システムの第１集魚灯と第２集魚灯の好ましい設置角度を示す側面図である。
【図１０】相関色温度６５００Ｋのスペクトルを示すグラフである。
【図１１】相関色温度１０，０００Ｋのスペクトルを示すグラフである。
【図１２】本発明の第３実施例による集魚灯を示す断面図である。
【図１３】本発明の第４実施例による集魚灯を示す断面図である。
【図１４】集魚灯を水冷式で冷却するための冷却システムの一例を示す図面である。
【図１５】発光モジュールの制御系統回路の一例を示す図面である。
【発明を実施するための形態】
【０００７】
以下、添付した図面を参照して本発明の好ましい実施例による集魚システムを詳しく説明する。
図１は、本発明の第１実施例による集魚灯が船舶に装着された集魚システムを示す正面図であり、図２は、図１の集魚灯を分離して示す斜視図である。
図１及び図２を参照すると、集魚システム１０は、支持台１２、第１及び第２支持線２１，２２、サポートバー３０、第１集魚灯１００ａと第２集魚灯１００ｂを備える。
支持装置は、支持台１２、第１及び第２支持線２１，２２、サポートバー３０を備える。
支持台１２は、船舶５０に互いに離れて設置される。
第１支持線２１は、支持台１２の間を連結する。
第２支持線２２は、第１支持線２１よりも高い位置上で支持台１２の間を連結する。
第１及び第２支持線２１，２２は、複数の第１及び第２集魚灯１００ａ，１００ｂを支持できる鉄線を適用することが好ましい。
サポートバー３０は、第１及び第２支持線２１，２２を横切る方向に、すなわち垂直方向に第１及び第２支持線２１，２２の間を連結する。
第１集魚灯１００ａは、サポートバー３０の間に水平方向に列をなして複数装着されており、第２集魚灯１００ｂは、第１集魚灯１００ａよりも高い位置で水平方向に列をなしてサポートバー３０の間に複数装着される。
第１集魚灯１００ａは、相関色温度（Ｃｏｒｒｅｌａｔｅｄ  Ｃｏｌｏｒ  Ｔｅｍｐｅｒａｔｕｒｅ）９，０００°Ｋ〜１５，０００°Ｋの光を出射する発光モジュールが適用される。
また、第２集魚灯１００ｂは、相関色温度５，０００°Ｋ〜８，０００°Ｋの光を出射する発光モジュールが装着される。
第１及び第２集魚灯１００ａ，１００ｂに適用される発光モジュール１３０のそれぞれの発光ダイオード１３５は、発光の相関色温度または色だけを除いて、他の構造は同一であることが好ましく、以下では説明の便宜上、集魚灯と総称し、その詳細構造を図２及び図３を参照して説明する。
集魚灯１００ａ，１００ｂは、本体１１０、発光モジュール１３０、及びキャップ１５０を備える。
本体１１０は矩形の筒状の構造であり、機能的に分けてボディ１１１、放熱片１１６、及びリブ１１８を有する構造である。
本体１１０のボディ１１１は、上部を開放した四角形の開口を有し、下方に行くほど幅が狭くなるテーパ状の収容溝１１２を有する。
本体１１０から出射される光の放射角は６０〜７０°の範囲に設定される。
本体１１０のボディ１１１には、後述するキャップ１５０を装着するための載置溝１１７が上部に形成される。
載置溝１１７は、キャップ１５０が載置された状態で本体１１０の上面よりも低く装着するために、本体１１０内の下方に後退して形成される。
ボディ１１１の収容溝１１２を形成する部分であって、ボディ１１１の長手方向に沿って互いに対向する内壁１１３は、その相互間の角（ａ）が６０〜７０°であることが好ましい。
一方、図４及び図５に示すように、上部を開放して下方に行くほど幅が狭くなるテーパ状の反射傘２５０がボディ１１１内に結合される方式が適用されてもよく、この場合、第２の収容溝を形成する反射傘２５０の互いに対向する内壁２１３は、その相互間の角（ｂ）が６０〜７０°の範囲に設定されることが好ましい。反射傘２５０の底面には発光ダイオード１３５が露出するように透光孔が形成される。
反射傘２５０は、内側面を鏡面仕上げしたアルミニウム板材を用いるか、内側面が高反射率を有するように銀またはニッケルメッキ処理されたものを用いることが好ましい。
一方、このようなボディ１１１を支持線２１，２２に結合するためのサポートバーの構造を図６から図８を参照して説明する。
先ず、ボディ１１１の両端に「Ｌ」字状の第１ブラケット１２０をボルトなどの固定部材を用いて底面に固定するが、第１ブラケット１２０の側面に形成されたホールは、サポートバー３０に対応して形成された貫通孔３２ａ，３２ｂと共にボルト３４０などの固定部材を用いて固定することができる。サポートバー３０は、集魚灯１００ａ，１００ｂを固定するための第１ブラケット１２０と支持線２１，２２との結合方向をそれぞれ合わせるために長手方向に捻って折曲げた部分を有する構造である。
また、サポートバー３０は、その中間に集魚灯１００ａ，１００ｂを結合するための２つの貫通孔３２ａ，３２ｂが互いに離れて形成され、上端には第２支持線２２を囲むように折曲げて下部は開放されたクリップ部３３が形成される。クリップ部３３には、ボルトの挿入のために、互いに対向する部分に結合孔が形成される。また、サポートバー３０の下端には、第１支持線２１の一部を囲んで支持するように半円状の収容溝が形成された第２ブラケット１２２に、ボルト３４０などの固定部材により結合するように結合孔３６が形成される。
一方、ボディ１１１を支持する支持構造は、上述した図とは異なる構造が適用されてもよい。
このような支持装置により装着された第１集魚灯１００ａ及び第２集魚灯１００ｂは、船舶５０から出射される光の出射方向が互いに異なるように装着される。
第１集魚灯１００ａは、船舶から数ｍ〜数十ｍの近い領域下の深層、例えば、水深１００ｍ〜２００ｍに位置する集魚対象魚類を上層に誘導して集魚するために、図９に示すように、第１集魚灯１００ａから出射される光の放射角（Ｐ１）の中心に該当する光軸が水面に向かい、水面（Ｓ０）に並んだ基準線（Ｓ１）と光軸との間の角（Ｐ１ａ）が３５〜４５°の範囲に設定される。
また、第２集魚灯１００ｂは、船舶から遠い、例えば、数十ｍ〜数百ｍの表層水面から数十ｍの深さに位置する集魚対象魚類を船舶付近に誘導するために、図９に示すように、第２集魚灯１００ｂから出射される光の放射角（Ｐ２）の中心に該当する光軸が水面に向かい、水面（Ｓ０）に並んだ基準線（Ｓ２）と光軸との間の角（Ｐ２ａ）が１０〜２０°の範囲に設定される。
第２集魚灯１００ｂから出射される光を、水面に並んだ方向に対して２０〜３０°程度上向いて出射するように設置する（図９の「ｄ２」参照）理由は、波により船舶５０が左右に傾いて動揺することを考慮したもので、船舶５０が傾いた場合、船舶の近くだけに光が相対的に多く照射されるため、遠距離にある集魚対象魚類の集魚効率が低下することを防止するからである。したがって、船舶５０が傾いた場合も、水面（Ｓ０）に並んだ基準線（Ｓ２）に向かう光が存在することにより、遠距離に位置する集魚対象魚類の集魚を誘導することができる。
このような集魚灯１００ａ，１００ｂの配列構造において、第１集魚灯１００ａから出射される相関色温度９，０００°Ｋ〜１５，０００°Ｋの光は、海水中の光吸収率の低い青色波長の成分が相対的に多いため、船舶の近くで水面から深いところまで届くことができ、第２集魚灯１００ｂから出射される相関色温度５，０００°Ｋ〜８，０００°Ｋの光は、海霧や空気中の光吸収率の低い長波長成分が相対的に多いため、遠距離への伝達効率を向上させることにより、船舶付近の深層及び遠距離の表層に位置する集魚対象魚類の集魚に効率的である。
一方、図に示さなかったが、第１及び第２集魚灯１００ａ，１００ｂを水平上に列をなして配列し、上述したように、光軸を互いに異なるように配列してもよく、支持線を中央に一列だけ配列し、両方向に向かって集魚灯の方向を変えて交番設置してもよい。
再び図２を参照して説明すると、放熱片１１６はボディ１１１の長手方向に直交して一側面から底面及び他の側面まで延長するようにボディから突出形成される。このような放熱片１１６は、ボディ１１１の長手方向に沿って互いに離れて複数形成される。
リブ１１８は、ボディ１１１の上面の周縁に沿って水平方向に外側に拡張形成される。
リブ１１８には、放熱片１１６と放熱片１１６との間の領域に該当する位置に、対流の促進のために上下に貫通する通気孔１１９が長手方向に沿って互いに離れて形成される。
本体１１０は、海上での腐食を防止するためにペンキで塗装した金属素材を適用するが、金属素材は、放熱効率の高いアルミニウムを適用することが好ましい。
発光モジュール１３０は、本体１１０の収容溝１１２の底面に装着され、収容溝１１２の開口に向かって光を出射するように、回路基板１３１に複数の発光ダイオード１３５が装着される。
回路基板１３１は、放熱性の良いＭＣＰＣＢ（Ｍｅｔａｌ  Ｃｏｒｅｄ  Ｐｒｉｎｔｅｄ  Ｃｉｒｃｕｉｔ  Ｂｏａｒｄ）を適用する。
発光ダイオード１３５は、上述したように、相関色温度５，０００°Ｋ〜８，０００°Ｋまたは９，０００°Ｋ〜１５，０００°Ｋの白色光を出射するものを適用する。
本実施例では、青色の発光ダイオードチップに白色光を出射する蛍光体、例えば、ＹＡＧ蛍光体またはケイ酸塩系の蛍光体を塗布し、６５００°Ｋの相関色温度を有するように製作した発光ダイオード１３５に対する出射光のスペクトルを分析した結果を図１０に示す。図１０に示すように、６０％以上の光が、イカの集魚に効率的な青色から緑色の波長範囲である４４０ｎｍ〜４６０ｎｍ及び５１０〜５６０ｎｍの帯域に分布する。
一方、青色の発光ダイオードチップに白色光を出射するように蛍光体、例えば、ＹＡＧ蛍光体またはケイ酸塩系の蛍光体を塗布し、１０，０００°Ｋの相関色温度を有するように製作した発光ダイオード１３５に対する出射光のスペクトルを分析した結果を図１１に示す。相関色温度の差を発生させる方法の一例は、蛍光体と封止剤として使用する透明シリコンとの配合重量比率を調節すれば良い。
図１１に示すように、相関色温度の上昇により、４４０ｎｍ〜４６０ｎｍ帯域の光量比重が図１０の６，５００°Ｋの相関色温度よりも増加する。
キャップ１５０は、本体１１０の収容溝１１２の開口を閉鎖するように本体１１０に結合される。
好ましくは、キャップ１５０は透明素材からなる。
参照符号「１５４」はキャップ１５０と本体１１０の載置溝１１７との間に挿入されるシーリング用パッドである。
一方、キャップ１５０が、曲率を有するレンズの形態である場合、本体１１０から出射される光の放射角が６０〜７０°になるように、ボディ１１１の収容溝の構造及びキャップ１５０の曲率を適切に適用すれば良い。
このような構造の集魚灯１００ａ，１００ｂは、発光ダイオード１３５から発生する熱が回路基板１３１及び本体１１０を通して放熱されて高出力化が可能となり、出射される光の波長帯域をイカの集魚に効率的な４４０ｎｍ〜４６０ｎｍ及び５１０〜５６０ｎｍの帯域にし、光出射角度を６０〜７０°に制限することにより、光を効率的に利用することができる。
一方、集魚灯のまた他の構造を図１２を参照して説明する。
図１２を参照すると、集魚灯の本体は、放熱用メイン基板４１０、回路基板４３０、反射鏡４７０を備える。
放熱用メイン基板４１０は、金属素材からなる板状のベースプレート４１２、ベースプレート４１２上に形成された絶縁層４１４、及び絶縁層４１４上に導電素材からなる導電パターン４１６を有する構造である。
発光ダイオード１３５は、導電パターン１１６を介して回路基板４３０に接続する。
回路基板４３０は、放熱用メイン基板４１０の周縁部分に装着され、導電パターン４１６と電線接続用端子パッド４３４を電気的に接続させる。
反射鏡４７０は、回路基板４３０の上部に接合される。
反射鏡４７０は、発光ダイオード１３５から側面に向かって出射された光を前方に集束させる。
すなわち、反射鏡４７０は、発光ダイオード１３５が露出するように、中央に上部が広くて下部が狭い上下貫通型の開口を有する構造である。
透明キャップ４９０は、反射鏡４７０の開口を密閉するように閉鎖して光を透過させるためのもので、反射鏡４７０の上端に形成された載置溝に結合される。
透明キャップ４９０は、拡散または集光を誘導するためのフレネルレンズ構造または他の形態のレンズ構造を適用してもよい。また、透明キャップ４９０は、上述した例と異なり、シリコンまたはエポキシのような透明素材で反射鏡４７０の内部空間を充填して形成してもよい。
参照符号「５３０」はベースプレート４１２の下部に接合された補助プレートである。
補助プレート５３０は、放熱能力を向上させるために適用されたもので、放熱能力の高い金属素材、例えばアルミニウムまたは銅素材からなるものを適用する。
電線５２０は、被覆された芯線が端子パッド４３４に挿入され、この端子パッド４３４には半田付けにより結合される。
カップセルモールド部５４０は、防水性と塩水に対する耐腐食性を確保するために形成されたもので、補助プレート５３０の底部が露出するように、透明キャップ４９０の周縁領域から回路基板４３０、補助プレート５３０の側面まで密閉してモールディング処理される。カップセルモールド部５４０は、防水性と腐食に耐えられる特性を持つ素材、例えばエポキシ、ウレタン素材、その他のプラスチック素材を適用してモールディングされる。
また、図１２は、放熱能力を向上させるために、支持プレート５５１の下部に互いに離れて形成された複数の放熱片５５２を有する放熱ピン構造体５５０が、補助プレート５３０の下部に結合された構造を示し、図１３は、冷却水が流れる冷却水流通管５７０が補助プレート５３０の下部に結合された構造を示す。
冷却水流通管５７０は、図２の本体１１０に形成されてもよい。
冷却水流通管５７０が適用される場合、図１４に示すように、それぞれの冷却水流通管５７０の間を連結管６１０により直列状に連結し、冷却水の出口側に連結された連結管６１０ａを介して流出される冷却水を圧縮する圧縮器６２０と、圧縮器６２０により圧縮された冷却水を凝縮する凝縮ユニット６３０を設置し、入口側の連結管６１０ｂを介して冷却水を供給する冷却システムを適用することができる。
参照符号「６３２」は凝縮用ファンで、参照符号「６４０」は冷却水補助タンクである。
発光モジュール１３０は、連続駆動方式よりも点滅を繰り返す駆動方式が集魚に効率的であり、このような点滅駆動の制御回路の一例を図１５に示す。
図１５を参照すると、制御部（図示せず）から制御信号入力端子１６１を介して駆動信号が入力され、この駆動信号によりスイッチング素子のＦＥＴ１６７を制御する駆動部１６３が発光ダイオード１３５をオン・オフ駆動する。参照符号「１６５」はバッファである。
このような発光モジュールを駆動する駆動モードをオンにすると、制御部は、発光ダイオードがオン・オフを繰り返して点滅するように駆動し、それぞれの点灯維持時間と消灯維持時間は０．１〜０．３秒であることが好ましい。
一方、イカの集魚のための反応特性を調査するために、漁獲したスルメイカを水槽に入れて試験を行った。漁獲されたスルメイカは、水槽に入れて２〜３日後には光に対する反応性が低下するため、魚群行動実験は、実験の前日の夜に漁獲したスルメイカを当日の朝に水槽に入れて馴致させた後、当日の夜、日が沈んだ後から行った。水槽の水温は、実験日に応じて１０〜２３℃の範囲に設定した。
＜実験水槽及び装置＞
スルメイカの魚群行動を容易に観察し、移動距離を定量的に示すために、実験水槽は、長さ２０ｍ、幅と高さはそれぞれ０．８ｍであり、底から水面までの高さは０．７ｍであった。また、長さ２０ｍの水槽を１．２５ｍずつ１６ケ区間に分けて、光に誘われて一定時間集まったスルメイカの位置を把握した。
実験では、１ＷのＬＥＤ素子を７×７配列した約５０ＷのＬＥＤランプを用い、ランプは、波長に応じて白色、赤色、黄色、緑色、青色を表す５種のランプをそれぞれ適用した。また、ランプの前面には各３０°の反射傘を設け、第１区間の底と第２区間の底との境界に光の陰陽が位置するようにＬＥＤランプの角度を調節した。このようにして、スルメイカの陰影領域に対する特性も確認することができる。
先ず、第１実験は、暗いところで位置した水槽の片方だけに５種のランプをそれぞれ設け、スルメイカ３０匹を水槽のまん中の長さ１ｍの幅を有する区間に網で閉じ込めて光を約３０秒間照らした後、網を除去して自由に放出し、５分後、各区間別のスルメイカの個体数を記録した。第２実験は、互いに異なる波長を有する２種のＬＥＤランプを水槽の両端に互いに対向するように整列させ、第１実験と同様にスルメイカ３０匹を水槽のまん中の長さ１ｍの幅を有する区間に網で閉じ込めて光を約３０秒間照らした後、網を除去し、５分後、各区間別のスルメイカの個体数を記録した。第３実験は、白色灯と青色灯に対して同じ波長のＬＥＤランプを水槽の両端に互いに対向するように整列させ、一方のランプは０．１〜０．３秒間隔で点滅し、他方のランプは点灯した状態で第２実験と同様に水槽の各区間別の個体数を記録した。第４実験は、第２実験と同様であり、上述した実験で誘集効果が最も優れた青色光の波長に関してさらに正確な情報を得るために、波長４５０ｎｍと４９０ｎｍ、４５０ｎｍと４６０ｎｍのランプを設けて比較した。
第１実験は各５回ずつ実験して２５回、第２、第３、第４実験は各１０回ずつ実験して１００回、２０回、２０回行った。使用電力は同じエネルギーを供給する原則に準じて２８Ｗの電力を供給した。
また、実験に用いたＬＥＤランプの波長特性を正確に測定するために、波長別のスペクトル分析を可能とする分光照度計（Ｓｐｅｃｔｒｏ  ｍｅｔｅｒ  ＵＳＢ４０００、ＴＨＯＲ  Ｃｏ．）を用いて各ＬＥＤランプの波長を分析した。測定位置はランプから５ｍ離れて行った。
白色光は、主に青色光と緑色光の波長が混合されたもので、黄色の波長も少し混合されたこともある。各ランプの波長値は、赤色光６３４ｎｍ、黄色光５９６ｎｍ、緑色光５２３ｎｍ、青色光４５４ｎｍ程度であり、光の出力値は、赤色光、黄色光、緑色光、青色光の順に小さくなるが、ほぼ同様であった。
＜スルメイカが好むＬＥＤランプの色＞
スルメイカが好むＬＥＤランプの色を調査した結果、最も好む色のランプは青色灯であり、その次が白色灯と緑色灯、その次が赤色灯、最後が黄色灯であった。特に、スルメイカは、赤色や黄色の波長に対しては正の走光性の行動よりも負の走光性の行動がさらに多いことが明らかになった。また、水槽の中心部に位置したスルメイカは、網を除去すると、最初は光に対する好奇心により光の多い側に移動し、後は水槽の両端の陰影部分に移動した。５分後には陰影部分の次の区間に位置する最も明るい区間のスルメイカは比較的に少なくなった。５分が経過するまで、約２〜３匹のスルメイカが水槽を往復し、残りは別に動かなかった。すなわち、スルメイカは、青色灯、緑色灯、及び白色灯に対しては正の走光性の行動を、赤色灯と黄色灯には負の走光性の行動をし、水槽の終端まで移動して周縁の暗いところに位置する場合が最も多かった。
＜スルメイカが好むＬＥＤランプの種類＞
スルメイカが好むＬＥＤランプの比較結果、青色灯と白色灯は両方とも常時灯よりも点滅灯が好まれた。移動したスルメイカの数を定量的に求めると、青色点滅灯（３４．３％）が常時灯（２３．７％）よりも１０．６％高く、白色点滅灯（３８％）が常時灯（２６％）よりも１２．６％高かった。したがって、スルメイカは点滅灯に対する好奇心が高いと判断される。
＜スルメイカが好む青色ＬＥＤランプの種類＞
スルメイカが好む青色ＬＥＤランプの種類を比較した結果、波長４５０ｎｍのランプと波長４９０ｎｍのランプの比較実験では、４５０ｎｍのランプが好まれた。移動したスルメイカの数を定量的に求めると、４５０ｎｍのランプ（４４．３％）が４９０ｎｍのランプ（３２％）よりも１２．３％高かった。また、波長４５０ｎｍのランプと波長４６０ｎｍのランプの比較実験では、４５０ｎｍのランプ（３７．３％）と４６０ｎｍのランプ（３５．８％）の差が１．５％に過ぎないため、２種類のランプは誘集性能がほぼ同様であると言える。したがって、青色ＬＥＤランプにおいても、４５０〜４６０ｎｍ区間の短波長帯のランプがスルメイカに対する誘集性能が高いと判断される。
一方、このような実験結果によれば、単純集魚効率の観点では、集魚のために青色光を用いることが好ましいが、作業現場で釣り作業をする作業者にとっては青色光だけが照射される場合、作業対象物体及び周辺環境に対する色を判別しにくく、疲れやすいため、長時間の作業が困難である。
したがって、作業者の視覚的疲労度を緩和させ、集魚効率を向上させるために、上述したように、青色の発光ダイオードチップにＹＡＧまたはケイ酸塩系の蛍光体を塗布して生成される白色光を使用することにより、作業者の視覚的疲労度を緩和させ、主な波長である４４０〜４６０ｎｍの青色光と、５１０ｎｍ〜５６０ｎｍの緑色光により集魚効率も向上させることができる。
【図１】
2011530282.tif 000003
【図２】
2011530282.tif 000004
【図３】
2011530282.tif 000005
【図４】
2011530282.tif 000006
【図５】
2011530282.tif 000007
【図６】
2011530282.tif 000008
【図７】
2011530282.tif 000009
【図８】
2011530282.tif 000010
【図９】
2011530282.tif 000011
【図１０】
2011530282.tif 000012
【図１１】
2011530282.tif 000013
【図１２】
2011530282.tif 000014
【図１３】
2011530282.tif 000015
【図１４】
2011530282.tif 000016
【図１５】
2011530282.tif 000017
【国際調査報告】
2011530282.tif 000018
2011530282.tif 000019
2011530282.tif 000020
2011530282.tif 000021